(57)【要約】  第１の版胴（１８）の周囲に配置されかつ第１の印像部分を有する第１の刷版を備えた第１の版胴（１８）を有する可変カットオフ印刷機が提供される。第１のブランケット胴（２０）は、第１の位置においてウェブに第１の印像部分を転写する。第２の印像部分を有する第２の刷版は、第２の版胴（２２）の周囲に配置されている。第２のブランケット胴（２４）は、第２の位置においてウェブ（３０）に第２の印像部分を転写する。圧胴（１６）は、ウェブ（３０）を介して第１のブランケット胴（２０）及び第２のブランケット胴（２４）に接触する。第１の印像部分と第２の印像部分とが、印像カットオフ長さを有する１つの連続した印像を形成する。可変カットオフオフセット印刷機を使用してカットオフを備えた印像をウェブ（３０）に印刷する方法も提供される。
2011518701.tif 000002
【特許請求の範囲】
【請求項１】
可変カットオフ印刷機において、
第１の版胴と、
該第１の版胴の周囲に配置された、第１の印像部分を有する第１の刷版と、
第１の位置においてウェブに第１の印像部分を転写する第１のブランケット胴と、
第２の版胴と、
該第２の版胴の周囲に配置された、第２の印像部分を有する第２の刷版と、
第２の位置においてウェブに第２の印像部分を転写する第２のブランケット胴と、
ウェブを介して第１のブランケット胴及び第２のブランケット胴に接触する圧胴とが設けられており、
第１の印像部分と第２の印像部分とが、印像カットオフ長さを有する１つの連続した印像を形成することを特徴とする、可変カットオフ印刷機。
【請求項２】
第１のブランケット胴を第１のモータが駆動し、第２のブランケット胴を第２のモータが駆動する、請求項１記載の可変カットオフ印刷機。
【請求項３】
第１のモータ及び第２のモータを制御装置が制御する、請求項２記載の可変カットオフ印刷機。
【請求項４】
第１のモータが、第１のブランケット胴が圧胴と接触している時に前記第１のブランケット胴をウェブ速度で駆動しかつ前記第１のブランケット胴が圧胴と接触していない時に前記第１のブランケット胴の位置を動的に調節し、第２のモータが、第２のブランケット胴が圧胴と接触している時に前記第２のブランケット胴をウェブ速度で駆動しかつ前記第２のブランケット胴が圧胴と接触していない時に前記第２のブランケット胴の位置を動的に調節する、請求項２記載の可変カットオフ印刷機。
【請求項５】
第１の印像部分及び第２の印像部分が、同じ色である、請求項１記載の可変カットオフ印刷機。
【請求項６】
第３の版胴と、
該第３の版胴の周囲に配置された、第３の印像部分を有する第３の刷版と、
第１の位置においてウェブに第３の印像部分を転写する第３のブランケット胴と、
第４の版胴と、
該第４の版胴の周囲に配置された、第４の印像部分を有する第４の刷版と、
第２の位置においてウェブに第４の印像部分を転写する第４のブランケット胴と、
ウェブを介して第３のブランケット胴及び第４のブランケット胴に接触する第２の圧胴とが設けられており、
第３の印像部分と第４の印像部分とが、第１の連続した印像の印像カットオフ長さと実質的に同じ第２の印像カットオフ長さを有する第２の連続した印像を形成し、第３の印像部分及び第４の印像部分が、第１の印像部分及び第２の印像部分の色とは異なる同じ色であり、
第１の連続した印像と、第２の連続した印像とが、連続した二色の印像を形成する、請求項５記載の可変カットオフ印刷機。
【請求項７】
第１のブランケット胴を駆動する第１のモータと、
第２のブランケット胴を駆動する第２のモータと、
第３のブランケット胴を駆動する第３のモータと、
第４のブランケット胴を駆動する第４のモータと、
第１のモータ、第２のモータ、第３のモータ及び第４のモータを制御する制御装置とが設けられている、請求項６記載の可変カットオフ印刷機。
【請求項８】
第３の版胴と、
該第３の版胴の周囲に配置された、第３の印像部分を有する第３の刷版と、
第１の位置においてウェブに第３の印像部分を転写する第３のブランケット胴と、
第４の版胴と、
該第４の版胴の周囲に配置された、第４の印像部分を有する第４の刷版と、
第２の位置においてウェブに第４の印像部分を転写する第４のブランケット胴とが設けられており、
圧胴が、ウェブを介して第３のブランケット胴及び第４のブランケット胴と接触しており、
第３の印像部分及び第４の印像部分が、第１の連続した印像の印像カットオフ長さと実質的に同じ第２の印像カットオフ長さを有する第２の連続した印像を形成し、第３の印像部分及び第４の印像部分が、第１の印像部分及び第２の印像部分の色とは異なる同じ色であり、
第１の連続した印像と、第２の連続した印像とが、連続した二色の印像を形成する、請求項５記載の可変カットオフ印刷機。
【請求項９】
ウェブを案内するニップロールが設けられている、請求項１記載の可変カットオフ印刷機。
【請求項１０】
第１の印像部分及び第２の印像部分が、等しい長さである、請求項１記載の可変カットオフ印刷機。
【請求項１１】
第１の版胴と、第１のブランケット胴と、第２の版胴と、第２のブランケット胴とが全て、同じ外周長さを有している、請求項１記載の可変カットオフ印刷機。
【請求項１２】
第１の刷版を、取り外し、第１の印像部分とは異なる長さの交換第１印像部分を有する第１の交換刷版と交換することができ、第２の刷版を、取り外し、第２の印像部分とは異なる交換第２印像部分を有する第２の交換刷版と交換することができ、
交換第１印像部分と交換第２印像部分とが、印像カットオフ長さとは異なる交換印像カットオフ長さを有する１つの連続した交換印像を形成する、請求項１記載の可変カットオフ印刷機。
【請求項１３】
カットオフ長さに関連して第１及び第２の版胴の移動を制御する制御装置が設けられている、請求項１２記載の可変カットオフ印刷機。
【請求項１４】
可変カットオフオフセット印刷機を使用してカットオフを備えた印像をウェブに印刷する方法において、
第１のブランケット胴が圧胴と接触していない間に前記第１のブランケット胴の位置を動的に調節するステップと、
第２のブランケット胴が圧胴と接触していない間に前記第２のブランケット胴の位置が動的に調節されながら、第１のブランケット胴を圧胴と接触させ、第１の版胴の第１の刷版によって第１のブランケット胴に転写された第１の印像部分をウェブに印刷するステップと、
第２のブランケット胴を圧胴と接触させ、第１の印像カットオフ長さを有する連続した印像をウェブに形成するために、第２の印像部分と整合させられたウェブ上の位置において、第２の版胴の第２の刷版によって第２のブランケット胴に転写された第２の印像部分を印刷するステップと、
第１の刷版を取り外し、該第１の刷版を、第１の交換印像部分を有する第１の交換刷版と交換し、第２の刷版を取り外し、該第２の刷版を、第２の交換印像部分を有する第２の交換刷版と交換するステップと、
第１の交換印像部分と第２の交換印像部分とが、第２の印像カットオフ長さを有する連続した交換印像をウェブに形成するように、第１の交換印像部分を第１のブランケット胴に転写し、第１の交換印像部分をウェブに印刷し、第２の交換印像部分を第２の版胴に転写し、第２の交換印像部分をウェブに印刷するステップとを有することを特徴とする、可変カットオフオフセット印刷機を使用してカットオフを備えた印像をウェブに印刷する方法。
【発明の詳細な説明】
【技術分野】
【０００１】
発明の背景
本発明は、概して印刷機、特に可変カットオフ印刷機及び方法に関する。
【０００２】
米国特許第５９５０５３６号明細書は、可変オフセット印刷ユニットを開示しており、この場合、一定カットオフ印刷機が、ブランケット胴のサイズを維持しながら、可変カットオフ印刷機に適応される。版胴スリーブは可変の外径を有しており、これにより、ギャップレスブランケット胴スリーブの外径を一定に維持しながら、印刷される印像の長さが、可変の外径に比例して変更される。版胴のサイズは、版胴に取り付けられたスリーブを使用することによって、又は版胴の直径を増大するために刷版の下側にパッキングを付加することによって変更される。
【０００３】
米国特許第６３２７９７５号明細書は、ウェブに細長い印像を印刷するための方法及び装置を開示している。第１の印刷ユニットは、１つの第１の印像部分が印刷されるたびに圧胴をブランケット胴から離反させることによって、第１の印像部分をウェブに所定の間隔を置いて印刷する。第２の印刷ユニットも、１つの第２の印像部分が印刷されるたびに圧胴をブランケット胴から離反させることによって、第１の印刷ユニットによってウェブ上に残された間隔に第２の印像部分を印刷する。変速モータは各ブランケット胴を回転させる一方で、その都度、所要の間隔を置いて第１又は第２の印刷部分の印刷を生ぜしめるために、ウェブ上に間隔を生ぜしめるために、関連する圧胴が離れて保持される。
【０００４】
米国特許第７０６６０８８号明細書は、連続的な印像転写ベルトを使用する、可変カットオフオフセット印刷システム及び運転方法を開示している。オフセット印刷システムは、個々の印刷スリーブを有するための少なくとも２つの版胴を有している。各印刷スリーブは、個々のインキ源からカラーインキを受け取る。さらに、システムは少なくとも１つの圧胴を有しており、印像転写ベルトは、版胴のそれぞれと、少なくとも１つの圧胴との間に形成された個々のニップにおいて印刷スリーブのそれぞれに接触するように位置決めされている。
【０００５】
発明の簡単な概要
第１の版胴の周囲に配置されておりかつ第１の印像部分を有する第１の刷版を備えた第１の版胴を有する可変カットオフ印刷機が提供される。第１のブランケット胴は、第１の位置において第１の印像部分をウェブに転写する。第２の印像部分を有する第２の刷版が、第２の版胴の周囲に配置されている。第２のブランケット胴は、第２の位置において第２の印像部分をウェブに転写する。圧胴は、ウェブを介して第１のブランケット胴及び第２のブランケット胴に接触している。第１の印像部分及び第２の印像部分は、印像カットオフ長さを有する１つの連続した印像を形成する。
【０００６】
可変カットオフオフセット印刷機を使用してカットオフを備えた印像をウェブに印刷する方法が提供され、この方法は、第１のブランケット胴が圧胴と接触していない時に第１のブランケット胴の位置を動的に調節するステップと、第１のブランケット胴を圧胴と接触させて、第２のブランケット胴が圧胴と接触していないときに第２のブランケット胴の位置が動的に調節させられながら、第１の版胴の第１の刷版によって第１のブランケット胴に転写された第１の印像部分をウェブに印刷するステップと、第１の印像カットオフ長さを有する連続した印像をウェブ上に形成するために、第２のブランケット胴を圧胴と接触させて、第２の版胴の第２の刷版によって第２のブランケット胴に転写された第２の印像部分を、第２の印像部分と整合させられたウェブ上の位置において印刷するステップと、第１の刷版を取り外して、第１の刷版を、第２の交換印像部分を有する第１の交換刷版と交換しかつ第２の刷版を第２の交換印像部分を有する第２の交換刷版と交換するステップと、第１の交換印像部分及び第２の交換印像部分が、第２の印像カットオフ長さを有する印像をウェブ上に形成するように、第１の交換印像部分を第１のブランケット胴に転写し、第１の交換印像部分をウェブに印刷し、第２の交換印像部分を第２の版胴に転写し、第２の交換印像部分をウェブに印刷するステップと、を有する。
【０００７】
本発明の以下の図面を参照にして以下に説明する。
【図面の簡単な説明】
【０００８】
【図１】本発明の実施形態によるオフセット印刷機の印刷ユニットの概略的な側面図である。
【図２】本発明の実施形態による４色オフセット印刷機の概略的な側面図である。
【図３】本発明の実施形態による、１つの中央の圧胴を備えた４色オフセット印刷機の概略的な側面図である。
【図４】第１の印像部分を印刷する、胴入れされた第１の印刷対と、胴抜きされた第２の印刷対とを備えた、図１に示された印刷ユニットの概略的な側面図である。
【図５】両方の印刷対が胴抜きされた、非印刷位置における、図４に示された印刷ユニットを示す図である。
【図６】後続の第１の印像部分を印刷する、胴入れされた第１の印刷対と、第２の印像部分を印刷する、胴入れされた第２の印刷対とを備える、図４に示された印刷ユニットを示す図である。
【図７】両方のブランケット胴が胴抜きされた、非印刷位置における、図４に示された印刷ユニットを示す図である。
【図８】図４から図７までに示された印刷ユニットが２つの連続した印像を印刷したウェブの部分を示す概略的な上面図である。
【図９ａ】刷版が第１の版胴の表面に配置されている、図４から図７までに示された第１の版胴の概略的な側面図である。
【図９ｂ】第１の版胴から取り外されて平坦になっている、図９ａに示された刷版の概略的な上面図である。
【図１０】図９ａ及び図９ｂに示された刷版を有する第１の版胴を備えた、図４から図７までに示された印刷機によって行われた運転による、第１の版胴の刷版の刷版長さに対する、第１の版胴の刷版の印刷長さの様々な比について、ウェブの位置と、第１の印刷ユニットの胴の表面速度との関係を表すグラフである。
【０００９】
詳細な説明
版胴及びブランケット胴を交換する必要なく同じ印刷機において様々なサイズの製品を印刷することができるように、可変カットオフ印刷機が開発されてきた。印刷される必要がある印像のサイズに対応するように版胴及びブランケット胴を交換することは、時間を浪費する困難な作業であり、複数のサイズの胴を購入及び保管することを必要とする。
【００１０】
図１は、本発明の実施形態によるオフセット印刷機の印刷ユニット６０の概略的な側面図を示している。印刷ユニット６０は、圧胴１６と、第１の版胴１８と、第１のブランケット胴２０と、第２の版胴２２と、第２のブランケット胴２４と、第１のニップロール２６と、第２のニップロール２８と、印刷ユニット６０を通過するウェブ３０とを有している。矢印は、ウェブ３０が走行する方向を示している。版胴１８，２２は、それぞれの刷版を有している。ブランケット胴２０，２４は、それぞれのブランケットを有している。第１の版胴１８と、第１のブランケット胴２０とは、第１の印刷対１９を形成しており、第２の版胴２２と、第２のブランケット胴２４とは、第２の印刷対２３を形成している。印刷ユニット６０は、４色オフセット印刷機３２の４つの印刷ユニット（図２に示されている）のうちの１つ、一色でのみ印刷する印刷機の単一のユニット、又は当業者に知られるあらゆるその他の印刷機の印刷ユニットであってよい。印刷ユニット６０が含まれる印刷機の構成にかかわらず、印刷ユニット６０の両印刷対１９，２３は、同じ色のインキで印刷する。
【００１１】
第１の印刷対１９は、設定された寸法の第１の印像部分をウェブ３０に印刷する。インキは、インキ装置によって第１の版胴１８に供給され、第１の版胴１８は、インキ着けされた印像、すなわち第１の印像部分を、第１のブランケット胴２０に転写する。次いで、第１のブランケット胴２０は、第１の印像部分をウェブ３０に印刷する。第２の印刷対２３は、設定された寸法の第２の印像部分をウェブ３０に印刷する。インキは、インキ装置によって第２の版胴２２に供給され、第２の版胴２２は、インキ着けされた印像、すなわち第２の印像部分を、第２のブランケット胴２４に転写する。次いで、第２のブランケット胴２４は、第２の印像部分をウェブ３０に印刷する。印刷対１９，２３は、各印像部分が他方の印像部分と完全に整合させられるようにタイミング及び位相を合わせられており、これにより、第１及び第２の印像部分は一緒に、設定された寸法の１つの連続した印像を形成する。この構成は、例えば、印刷ユニット６０が、個々のブランケット胴２０，２４又は版胴１８，２２の外周よりも大きなカットオフを備える１つの連続した印像を印刷することを可能にする。
【００１２】
第１のニップロール２６と、第２のニップロール２８と、圧胴１６とは、ウェブ３０及びウェブ３０の速度を制御する。ウェブ３０の経路は、ブランケット胴２０，２４が圧胴１６に関連させられなくとも、維持される。したがって、版胴及びブランケット胴１８，２０，２２，２４は、ウェブ３０の張力又は速度に影響することなく、胴入れ及び胴抜きされてよい。
【００１３】
胴１８，２０，２２，２４の外周は等しくてよく、これは好ましいが、円周は、印刷対１９，２３の間で異なっていてもよい。全ての胴１８，２０，２２，２４が、同じ外周を有しており、各印刷対１９，２３によって印刷される印像部分の長さが各版胴１８，２２の円周と等しいならば、連続する印像は、各版胴１８，２２の円周の二倍のカットオフを有する。各印刷対１９，２３によって印刷される印像部分は、各版胴１８，２２の円周よりも短くてよい。例えば、各印刷対は、各版胴１８及び２２の円周の長さの４分の３の長さの印像部分を印刷し、連続する印像のカットオフは、１つの版胴１８，２２の円周の１．５倍の長さに等しい。別の実施形態において、第１の印刷対１９によって印刷される印像部分は、第２の印刷対２３によって印刷される印像部分と異なる長さであってよい。例えば、第１の印刷対１９によって印刷される印像は、版胴１８の外周の半分に等しい長さであってよいのに対し、第２の印刷対２３によって印刷される印像は、版胴２２の外周の４分の３に等しい長さだけであってよい。
【００１４】
印刷ユニット６０のオペレータは、各版胴１８，２２によって形成されるインキ着けされた印像の長さを変更することによって、連続する印像のカットオフ長さを変更することができる。設定された長さのインキ着けされた印像若しくは印像部分を有する刷版が、版胴１８，２２に配置されてよい。これらの刷版を、取り外し、前の印像部分とは異なる長さの印像部分を有する交換刷版と交換することができる。これらの交換印像部分は、ウェブに印刷された時に、前の連続する印像と異なるカットオフ長さの交換連続印像を形成する。
【００１５】
したがって、印刷ユニット６０のオペレータは、異なるカットオフ長さが必要とされる場合に版胴１８，２２及びブランケット胴２０，２４を交換する必要がなく、その代わりに、オペレータは、各版胴１８，２２における刷版を画像形成しかつ刷版の残りを空白にしておくことによって、インキ着けされた印像の長さを変更するだけでよい。版胴１８，２２の組み合わされた外周よりも大きなカットオフ長さが必要とされるならば、圧胴１６は十分に大きいとすると、１つ又は２つ以上の付加的な印刷対が印刷ユニット６０に加えられてよい。付加的な印刷対は、印刷対１９，２３と同じ形式で作動してよく、付加的な印刷対の印像部分を、隣接する印像部分と整合させる。これにより、印刷ユニット６０は、同じ印刷機において、多数の異なるカットオフ長さを備えた様々な被印刷製品を印刷することができる。
【００１６】
図２は、本発明の実施形態による４色オフセット印刷機３２の概略的な側面図を示している。印刷機３２は、４つの印刷ユニット３３，３４，３５，３６を有しており、各印刷ユニットは、第１の版胴１８と第１のブランケット胴２０とを含む第１の印刷対１９と、第２の版胴２２と第２のブランケット胴２４とを含む第２の印刷対２３と、圧胴１６と、ブランケット胴２０，２４を駆動するモータ１７と、モータ１７の動作を制御する制御装置１００と、を有している。ウェブ３０は印刷ユニット３３，３４，３５，３６を矢印の方向に通過する。１つのニップロール３８は、ウェブ３０が第１の印刷ユニット３３に進入する時にウェブ３０を方向付ける。図１に示した印刷ユニット６０とは異なり、この実施形態において各印刷ユニット３３，３４，３５，３６のブランケット胴２０，２４は、ウェブ３０を制御することを補助する。
【００１７】
図３は、本発明の実施形態による１つの中央の圧胴４２を備えた４色オフセット印刷機４０の概略的な側面図を示している。第１の印刷ユニット４３と、第２の印刷ユニット４４と、第３の印刷ユニット４５と、第４の印刷ユニット４６とは、中央の圧胴４２を中心にして配置されており、印刷ユニット４３，４４，４５，４６と中央の圧胴４２との間を通過するウェブ３０に印刷する。各印刷ユニット４３，４４，４５，４６は、第１の印刷対５０と、第２の印刷対５４とを有している。第１の印刷対５０は、第１の版胴５１と、第１のブランケット胴５２とを有している。第２の印刷対５４は、第２の版胴５５と、第２のブランケット胴５６とを有している。各印刷ユニット４３，４４，４５，４６の各印刷対５０，５４は、個々のモータ１７によって駆動される。択一的な実施形態において、各胴５１，５２，５５，５６は別個のモータによって駆動される。印刷ユニット４３，４４，４５，４６のモータ１７は、制御装置１００によって制御される。各印刷ユニット４３，４４，４５，４６は、ウェブ３０に異なる色を印刷し、各印刷ユニット４３，４４，４５，４６の第１の印刷対５０と第２の印刷対５４とは、それぞれ同じ色を印刷する。ニップロール５８は、ウェブ３０を、矢印の方向に、圧胴４２と接触するように方向付ける。各印刷ユニット４３，４４，４５，４６の第１の印刷対は、第１の印像部分を特定のカラーインキでウェブ３０に印刷し、各印刷ユニット４３，４４，４５，４６の第２の印刷対５４は、第２の印像部分を同じカラーインキでウェブ３０に、１つの連続する印像を形成するために第１の印像部分と整合して印刷する。各印刷ユニット４３，４４，４５，４６は、４つの連続する印像が重なり合いかつウェブ３０に１つの４色印像を形成するように、個々の色の連続する印像をウェブ３０に印刷する。
【００１８】
図４から図７までは、連続する印像を形成する印像部分を印刷する図１の印刷ユニット６０を示している。制御装置１００は、第１のモータ１４と、第２のモータ１５とを制御し、それぞれの印刷対１９，２３の位置決めを動的に調節し、版胴１８，２２及びブランケット胴２０，２４を加速及び減速し、これにより、ブランケット胴２０及び２４はウェブ３０に適切な位置において適切な時点で印刷する。別の実施形態において、別個のモータが各胴１８，２０，２２，２４を駆動する。胴１８及び２０は、印刷運転の間、実質的に同じ速度で走行していてよく、胴２２及び２４は、印刷運転の間、実質的に同じ速度で走行していてよい。
【００１９】
図４は、図１に示された実施形態の印刷ユニット６０の概略的な側面図を示しており、胴入れされた第１の印刷対１９は第１の印像部分２１を印刷しており、第２の印刷対２３は胴抜きされている。第１のブランケット胴２０はウェブ３０を介して圧胴１６と接触しており、これにより、第１の印刷対１９は胴入れされており、ブランケット胴２０は第１の印像部分２１をウェブ３０に印刷している。第２の印刷対２３は胴抜きされており、これにより、ブランケット胴２４はウェブ３０を介して圧胴１６と接触しておらず、第２のモータ１５は、ブランケット胴２４が、第２の印像部分２５（図５から図７までに示されている）を第１の印像部分２１のすぐ後においてウェブ３０に印刷するための位置になるように、胴２２，２４の位置を動的に調節している。
【００２０】
第１のブランケット胴２０が第１の印像部分２１をウェブに印刷すると、第１の印刷対１９は胴抜きされる。図５は、非印刷位置における、図４に示された印刷ユニット６０の概略的な側面図を示しており、両方の印刷対１９，２３は胴抜きされている。第２のモータ１５は、第２の印刷対２３が胴入れされた時にブランケット胴２４が第２の印像部分２５を第１の印像部分２１のすぐ後においてウェブ３０に印刷するように、胴２２及び２４の位置を動的に調節している。第１のモータ１４は、第２のブランケット胴２４がウェブ３０に印刷する第２の印像部分２５の長さと等しい距離だけ第１の印像部分２１から後方に離れてブランケット胴２０が次の第１の印像部分１２１を印刷するように、胴１８，２０の位置を動的に調節している。
【００２１】
次に、第２の印刷対２３は胴入れされ、ブランケット胴２４は、ウェブ３０上の印像部分２１，２５の間のスペースが存在しないようにウェブ３０上の第１の印像部分２１の後に第２の印像部分２５を印刷し、これにより、印像部分２１，２５は１つの連続した印像２７を形成する（図８）。図６は、第１の印刷対１９が胴入れされていて次の第１の印像部分１２１を印刷しており、第２の印刷対２３が胴入れされていて第２の印像部分２５を印刷している、図４に示された印刷ユニットを示している。第１のブランケット胴２０は、第２の印像部分２５の長さと等しい距離だけ印像部分２１から後方に離れてウェブ３０に次の第１の印像部分１２１を印刷している。
【００２２】
第２の印像部分２５を印刷した後、第２の印刷対２３は胴抜きされる。図７は、印刷対１９，２３が胴抜きされた非印刷位置における、図４に示された印刷ユニット６０の概略的な側面図を示している。第２の印刷対２３は胴抜きされており、モータ１５は、第２のブランケット胴２４が、次の連続した印像１２７（図８）を形成するために第１の印像部分１２１のすぐ後にウェブ３０に次の第２の印像部分１２５（図８）を印刷するための位置になるように、第２のブランケット胴２４の位置を動的に調節している。第１の印刷対１９は胴抜きされており、モータ１４は、第１のブランケット胴２０が、印像部分１２１の後方に、印像部分１２５の長さである別の第１の印像部分をウェブ３０に印刷するための位置になり、胴２４が印像部分１２５を印刷するためのスペースを残すように第１のブランケット胴２０の位置を動的に調節している。次いで、第１のブランケット胴２０は、図４に示したように、圧胴１６に接触し、図４から図７までに示されかつ説明された動作が繰り返される。印刷されないスペースが介在せずに、多くの連続する印像がブランケット胴２０，２４によってウェブ３０に印刷される。図４から図７までに示された実施形態において、第１の印像部分２１，１２１は同じであり、第２の印像部分２５，１２５は同じであり、したがって、連続する印像２７，１２７は同じである。さらに、第１の印像１２，１２１は第２の印像部分２５，１２５と同じ長さである（Ａ＝Ｂ）。
【００２３】
図８は、図４から図７までに示された印刷ユニット６０が２つの連続する印像２７，１２７を印刷したウェブ３０の部分の概略的な上面図を示している。印像２７は、第２の印像部分２５と整合した第１の印像部分２１を有しており、印像部分２１，２５の間には、印刷されないウェブ３０は存在しない。印像１２７は、第２の印像部分１２５と整合した第１の印像部分１２１を有しており、印像部分１２１，１２７の間には、印刷されないウェブ３０は存在しない。さらに、印刷されないウェブは印像２７，１２７の間に存在しない。第１の印像部分２１，１２１はそれぞれ長手方向長さＡを有しているのに対し、第２の印像部分２５，１２５はそれぞれＢの長手方向長さを有している。したがって、印像２７，１２７はそれぞれ、１つの第１の印像部分２１，１２１の長さＡに、それぞれ１つの第２の印像部分２５，１２５の長さＢを加えたものと等しいカットオフを有している（Ａ＋Ｂ）。
【００２４】
図４から図７までに示された実施形態の場合、胴２０及び２４の間のウェブ３０の距離は、胴２０及び２４の回転の位相が適切に合わせられる限り、正確な長さである必要はない。連続する印像２７及び１２７を、互いのすぐ後に、印刷されないウェブを互いの間に生じることなく印刷するために、胴２０，２４（図４から図７）の回転の位相が合わせられ、これにより、胴２４は、印像部分２５，１２５をそれぞれ印像部分２１，１２１のすぐ後に、胴２４と圧胴１６とによって形成されたニップによってウェブ３０に印刷し始める。胴２０（図４から図７）の回転の位相が合わせられ、これにより、胴２０は、印像部分２１，１２１の間に長さＢ、つまり印像部分２５の長さのスペースを空けながら印像部分２１，１２１をウェブ３０に印刷する。
【００２５】
図９ａは、刷版８０が版胴１８の表面の周囲に配置されている、図４から図７までに示された第１の版胴１８の概略的な側面図を示している。図９ｂは、版胴１８から取り外されて平らに配置された、図９ａに示された刷版８０の概略的な上面図を示している。第１の印像部分２１，１２１（図８）は、第１の版胴１８に配置された刷版８０によって印刷される。
【００２６】
図９ａ及び図９ｂによって概略的に示されているように、刷版８０は、印刷長さＬPRの印刷部分８２と、非印刷長さＬNPの非印刷部分８４若しくは空白部分とを有している。刷版８０の印刷長さＬPRに、刷版８０の非印刷長さＬNPを加えたものは、刷版８０の長さＬPLに等しい（ＬPR＋ＬNP＝ＬPL）。刷版８０の印刷部分８２は、同じ印像である第１の印像部分２１及び１２１をウェブ３０に印刷する。したがって、刷版８０の印刷長さＬPRは、印刷部分２１及び１２１の長さに等しい（ＬPR＝Ａ）。図１０に関連した例示のために当てはまる図４から図７までに示された実施形態において、刷版８０の刷版長さＬPLは、実質的にブランケット胴２０の円周の距離に等しい。刷版８０は印像部分２１及び１２１をブランケット胴２０に印刷し、ブランケット胴２０も、刷版８０の印刷長さＬPRと等しい印刷長さと、刷版８０の非印刷長さＬNPと等しい非印刷長さとを有している。
【００２７】
刷版８０の刷版長さＬPLと等しい刷版長さを有する刷版が、版胴２２の表面の周囲にも配置されており（図４から図７）、胴２２の周囲に配置された刷版の円周の距離は、胴１８の周囲に配置された刷版８０の円周の距離と等しく、ブランケット胴２４の円周の距離とも等しい。胴２２（図４から図７）の刷版の印刷部分は、同じ印像である第２の印像部分２５，１２５（図８）を印刷する。第２の印像部分２５，１２５（図８）は第１の印像部分２１，１２１（図８）と等しいので、胴２２の刷版の印刷長さと非印刷長さとは、それぞれ刷版８０の印刷長さＬPRと刷版８０の非印刷長さＬNPとに等しい。
【００２８】
図９ａ及び図９ｂに概略的に示されているように、刷版８０の印刷長さＬPRが刷版８０の刷版長さＬPLよりも小さい場合には、胴２０が第１の印像２１をウェブ３０に印刷し、次いで、適切な位置において印像１２１をウェブ３０に印刷するために、胴１８，２０は、胴抜きされた後にすぐに加速され、ブランケット胴２０が第１の印像部分１２１をウェブ３０に印刷することができるように再びウェブ速度に減速される。択一的に、ブランケット胴２０は、胴抜きされている間、印像部分２１を印刷した後、減速されてよく、次いで、第１の印像部分１２１を印刷するために再びウェブ速度に加速される。刷版８０の印刷長さＬPRが刷版８０の刷版長さＬPLと等しい場合、又は刷版８０の印刷長さが刷版８０の刷版長さＬPLの半分と等しい場合（ＬPR＝ＬPL、ＬPR＝１／２ＬPL）、胴１８，２０は、胴入れ及び胴抜きの両状態において一定の速度を維持する。
【００２９】
図１０に示されたように、胴１８，２０（図４から図７）が胴抜きされた時に好適には加速又は減速されるかどうかは、刷版８０の刷版長さＬPLに対する刷版８０の印刷長さＬPRの比に依存する。刷版８０の印刷長さＬPRが刷版８０の刷版長さＬPLの半分よりも小さい（ＬPR＜０．５ＬPL）ならば、胴１８，２０は、好適には胴抜きされながら加速され、次いで胴入れされる時に再びウェブ３０の速度Ｖwに減速される。これにより、胴１８，２０の表面は、刷版８０の非印刷長さＬNPと等しい距離だけ移動するのに対して、ウェブは、刷版８０の印刷長さＬPRと等しい距離だけ移動する。つまり、刷版８０の印刷部分８２は、印像部分１２１を、印像部分２１の末端から、刷版８０の印刷長さＬPRと等しい距離だけ後方でウェブ３０に印刷し、胴２４が印像部分２５を印刷するための十分なスペースを残すように整合させられている。
【００３０】
刷版８０の印刷長さＬPRが、刷版８０の刷版長さＬPLの半分よりも大きい（０．５ＬPL＞ＬPR＜０．７５ＬPL）ならば、胴１８，２０は、印刷対１９が胴抜きされる間、好適には減速され、次いで、胴入れされる時に再びウェブ速度Ｖwに加速される。これにより、胴１８，２０の表面は、刷版８０の非印刷長さＬNPと等しい距離だけ移動するのに対して、ウェブは、刷版８０の印刷長さＬPRと等しい距離だけ移動する。
【００３１】
しかしながら、胴抜きされながら胴１８，２０が減速及び加速するためには、刷版８０の印刷長さＬPRが刷版８０の刷版長さＬPLの３分の２よりも大きいが刷版８０の刷版長さＬPLの４分の３よりも小さい場合（０．６６７PL＞ＬPR＜０．７５ＬPL）、モータ１４は、胴１８，２０が回転している方向を反転させ、胴１８，２０を反対方向に回転させなければならない。この反対方向に回転している胴１８，２０は、図１０に箇所１０３においてＸp＝０．７５Ｘcで示されるように、負の速度で移動していると定義される。したがって、胴１８，２０の逆回転を排除するために、刷版８０の印刷長さＬPRが、刷版８０の刷版長さＬPLの半分よりも大きいが刷版８０の刷版長さＬPLの３分の２以下であるならば（０．５PL＞ＬPR＞０．６６７PL）、印刷対１９が胴抜きされている間に胴１８及び２０が常に減速され、次いで、再び胴入れされる時にウェブ速度Ｖwに戻るように常に加速されることのみが望ましい。
【００３２】
刷版８０の印刷長さＬPRが刷版８０の刷版長さＬPLの距離の３分の２以上であるならば（ＬPR≧０．７５ＬPL）、好適な実施形態においては、胴１８，２０は、胴抜きされながら加速され、次いで、再び胴入れされる時にウェブ速度Ｖwに減速される。この構成では、胴抜きした時に減速しかつウェブ速度Ｖwに再び加速し、印刷対１９が再び胴入れされる時に第１の印像部分をウェブ３０に印刷するために胴２０を適切に整合させるためには、短時間に大きすぎる速度変化が必要である。したがって、胴１８，２０は、好適には、一回転よりも多くの回転を行い、ウェブ３０が刷版８０の印刷長さＬPRに等しい距離だけ移動する間に、刷版８０の刷版長さＬPLに刷版８０の非印刷長さＬNPを加えたものに等しい距離だけ移動する。上述のように、刷版８０の印刷長さＬPRが刷版８０の刷版長さＬPLの３分の２以上（ＬPR＞０．６６７PL）である場合にも、胴２０の逆回転を回避するために、同じ形式で加速することが望ましい。
【００３３】
刷版８０の印刷長さＬPRが刷版８０の刷版長さＬPLの半分よりも小さい状況において（ＬPR＜０．５ＬPL）、胴１８，２０は好適には胴抜きされながら加速される。各胴１８，２０の表面は、印像部分１２１に対して適切な位置に位置するために、ウェブ３０が刷版８０の印刷長さと等しい距離だけ移動するのと同じ時間で、刷版８０の非印刷長さＬNPと等しい距離だけ移動する必要がある。したがって、ウェブ３０は一定のウェブ速度Ｖwで刷版８０の印刷長さＬPRと等しい距離だけ移動するので、胴１８，２０の表面は、刷版８０の印刷長さＬPRを刷版８０の非印刷長さＬNPによって割り、ウェブ速度Ｖwを乗じたものと等しい平均胴抜き速度ＶCave（ＶCave＝（ＬNP／ＬPR）・Ｖw；なぜならばＬPR／Ｖw＝ＬNP／ＶCaveである）で、刷版８０の非印刷長さＬNPと等しい距離だけ移動しなければならない。印刷対１９が胴抜きされかつ胴１８，２０は常に胴抜きされながら加速及び減速されるので、各胴１８及び２０の表面が、刷版８０の印刷長さＬPRの半分に等しい距離だけ移動した時に最大胴抜き速度ＶＣmaxに到達した場合、胴１８，２０の最大胴抜き速度ＶCmaxは、各胴１８，２０の表面の平均速度の２倍からウェブ速度Ｖwを引いたものに等しい（ＶCmax＝２ＶCave−Ｖw＝２・（ＬNP／ＬPR）・Ｖw−Ｖw）。
【００３４】
刷版８０の印刷長さＬPRが刷版８０の刷版長さＬPLの半分よりも大きいが、刷版８９の刷版長さＬPLの４分の３よりも小さい状況において（０．５ＬPL＞ＬPR＜０．７５ＬPL）、胴１８，２０は好適には胴抜きされながら減速される。各胴１８，２０の表面は、印像部分１２１に対して適切な位置に位置するために、ウェブ３０が刷版８０の印刷長さと等しい距離だけ移動する時間で、刷版８０の非印刷長さＬNPと等しい距離だけ移動する必要がある。したがって、ウェブ３０は、一定のウェブ速度Ｖwで刷版８０の印刷長さＬPRと等しい距離だけ移動するので、胴１８，２０の表面は、刷版８０の印刷長さＬPRを刷版８０の非印刷長さＬNPで割り、ウェブ速度Ｖwを乗じたものに等しい平均胴抜き速度ＶCave（ＶCave＝（ＬNP／ＬPR）・Ｖw；なぜならばＬPR／Ｖw＝ＬNP／ＶCaveである）で、刷版８０の非印刷長さＬNPと等しい距離だけ移動しなければならない。印刷対１９は胴抜きされ、胴１８，２０は胴抜きされた状態で減速及び加速されるので、ウェブ３０が刷版８０の印刷長さＬPRの半分に等しい距離だけ移動した時、各胴１８，２０の表面は最小胴抜き速度ＶCminに達した時、各胴１８，２０の表面の最小胴抜き速度ＶCminは、各胴１８，２０の表面の平均速度の２倍からウェブ速度Ｖwを引いたものに等しい（ＶCmin＝２ＶCave−Ｖw＝２・（ＬNP／ＬPR）・Ｖw−Ｖw）。
【００３５】
刷版８０の印刷長さＬPRが刷版８０の刷版長さＬPLの距離の４分の３以上である（ＬPR≧０．７５ＬPL）状況において、胴１８，２０は好適には胴抜きされた状態で加速される。胴１８，２０の表面は、印像部分１２１を印刷するための適切な位置に位置するように、ウェブ３０が刷版８０の印刷長さと等しい距離だけ移動するのと同じ時間で、刷版８０の非印刷長さＬNPに刷版８０の刷版長さを加えたものと等しい距離だけ移動する必要がある。したがって、ウェブ３０は、一定のウェブ速度Ｖwで、刷版８０の印刷長さＬPRと等しい距離だけ移動するので、胴１８，２０の表面は、刷版８０の印刷長さＬPRを刷版８０の非印刷長さＬNPで割り、ウェブ速度Ｖwを乗じたものと等しい平均胴抜き速度ＶCave（ＶCave＝（ＬNP／ＬPR）・Ｖw；なぜならばＬPR／Ｖw＝ＬNP／ＶCaveである）で、刷版８０の非印刷長さＬNPに刷版８０の刷版長さを加えたものに等しい距離だけ移動しなければならない。印刷対１９は胴抜きされ、胴１８，２０は胴抜きされながら減速及び加速されるので、ウェブ３０が刷版８０の印刷長さＬPRの半分に等しい距離だけ移動した時、各胴１８，２０の表面は最大胴抜き速度ＶCmaxに達し、各胴１８，２０の表面の最大胴抜き速度ＶCmaxは、各胴１８，２０の表面の平均速度の２倍からウェブ速度Ｖwを引いたものに等しい（ＶCmax＝２ＶCave−Ｖw＝２・（（ＬNP＋ＬPL）／ＬPR）・Ｖw−Ｖw）。
【００３６】
図１０は、第１の版胴１８が、図９ａ及び図９ｂに示された刷版８０を有している、図４から図７までに示された印刷機６０によって行われる作業による、刷版８０の刷版長さＬPLに対する刷版８０の印刷長さの様々な比に関する、ウェブ３０の位置に対する胴１８，２０の表面速度Ｖｃのグラフを示している。グラフ中のそれぞれの線は、図８、図９ａ及び図９ｂに関して上述した例による、刷版８９の刷版長さＬPLの長さに対する刷版８０の印刷長さＬPRの異なる比を示している。
【００３７】
点１０１，１０２の間では、図１０に示された刷版８０の刷版長さＬpに対する刷版８０の印刷長さＬPRの全ての比について、印刷対１９（図４から図７）は、ウェブ速度Ｖwで移動しながら胴入れされているのに対し、ブランケット胴２０は、図４に示されているように、長さＡである印像部分２１（図８）をウェブ３０に印刷する。点１０２において、印刷対１９は胴抜きされ、胴２４（図４から図７）が印像部分２５（図８）を印刷するために、長さＢの距離を有する空白スペースを残す。点１０２，１０４の間では、胴１８，２０は、ウェブ３０が長さＢの距離を移動しながら、刷版８０の刷版長さＬPLに対する刷版８０の印刷長さＬPRの様々な異なる比のために、異なる胴表面速度Ｖcで移動する。ウェブ３０が点１０２とウェブ位置１０３との間を移動する間、図５に示したように、印刷対１９は胴抜きされており、（上述のように、刷版の刷版長さＬPLに対する刷版８０の印刷長さＬPRの比に応じて）胴１８，２０がウェブ位置１０３において最大速度ＶCmax又は最小速度ＶCminに達するまで、胴１８，２０は一定に加速又は減速される。ウェブ３０がウェブ位置１０３と点１０４との間を移動する間、（刷版８０の刷版長さＬPLに対する刷版８０の印刷長さＬPRの比に応じて）胴１８，２０は一定に減速又は加速され、これにより、印刷対１９が点１０４において胴入れされる時にブランケット胴２０はウェブ速度Ｖwで移動している。点１０４，１０５の間において、図６に示されたように、印刷対１９は胴入れされており、ウェブ３０が距離Ｂだけ移動する間、ブランケット胴２０は、長さＡの印像１２１（図８）をウェブ３０に印刷する。点１０５において、図７に示されたように、印刷対１９は胴抜きされ、胴１８，２０は最大速度ＶCmax又は最小速度ＶCminに加速され、次いで、点１０２において印像２１を印刷した後と同じ形式で再びウェブ速度Ｖwに一定に減速又は加速させられ、胴２４が印像部分１２５（図８）を印刷するための長さＢのスペースを残す。
【００３８】
刷版８０の印刷長さＬPRが、図１０に示したように胴１８の周囲に配置された刷版８０の円周の距離の４分の３に等しい場合（ＬPR＝０．７５ＬPL）、最初に胴抜きする場合に胴１８，２０を加速又は減速するためにほぼ同じ力が必要とされる。なぜならば、胴１８，２０が加速される時の、ウェブ速度Ｖwと、胴１８，２０の最大胴抜き速度ＶCmaxとの差は、胴２０が減速される時のウェブ速度Ｖwと、最小胴抜き速度ＶCminとの差と同じであるからである。しかしながら、上述のように、ＶCminは負の値であることがあり、この負の値は望ましくない。
【００３９】
図１０は、刷版８０のある印刷長さＬPRにおいては、胴１８，２０が、胴抜きされながら、胴１８，２０が胴入れされながら駆動される速度若しくはウェブ速度Ｖwよりも著しく高い速度で駆動されなければならず、したがって、胴１８，２０がより高い率で加速されることを必要とすることを示している。胴抜き速度及び対応する印像長さ及びカットオフの大きな変更を要求する刷版８０の印刷長さＬPRは、あまり望ましくない。なぜならば、胴２０を駆動するあらゆるモータ１４（図４から図７）によって、より多くのエネルギが消費されるからである。
【００４０】
胴１８及び２０のための上述の速度及び加速は、胴抜きされた胴２２及び２４の回転にも当てはまる。胴１８，２０，２２，２４は、可変式に加速及び減速されてもよい。
【００４１】
図４から図７までにおいてモータ１４，１５を制御する制御装置１００は、モータ１４，１５の特性にしたがって、胴抜き加速又は速度を制限もする。したがって、モータ１４，１５は、個々のモータ１４，１５を損傷するか又は個々のモータ１４，１５の寿命を制限するような加速又は速度に達することはできない。
【００４２】
前記実施形態においては、各印刷ユニットのために２つの印刷対のみが示されているが、あらゆる整数の印刷対が、特定のカットオフのために１つの色を構成してよい。付加的な印刷対によって、印刷ユニットは、あらゆる個々の版胴の円周よりも著しく大きなカットオフ長さを有する印像を印刷することができる。印刷ユニットにおける印刷対の数にかかわらず、カットオフの分割、又は言い換えれば、その印刷ユニットの他の印刷対に対する特定の印刷対によって印刷される印像の部分は、必ずしも同じでなくてもよい。したがって、例えば、印刷ユニットに５つの印刷対が設けられている場合、各印刷対は、必ずしも、完全な印像の２０％に等しい印像部分を印刷する必要はない。この例において、１つの対が完全な印像の１５％を、第２の対が３０％を、第３の対が２０％を、第４の対が１０％を、第５の対が２５％を印刷することができる。この構成では、各ブランケット胴の回転及び整合は、対応して調節されなければならない。
【００４３】
前記明細書において、本発明は、特定の典型的な実施形態及び実施例に関して説明された。しかしながら、以下の請求項に示された発明のより広い精神及び範囲から逸脱することなく、それらに様々な変更及び修正を加えてもよいことが明らかである。したがって、笑み最初及び図面は、限定的な意味ではなく、例示であると見なされるべきである。
【図１】
2011518701.tif 000003
【図２】
2011518701.tif 000004
【図３】
2011518701.tif 000005
【図４】
2011518701.tif 000006
【図５】
2011518701.tif 000007
【図６】
2011518701.tif 000008
【図７】
2011518701.tif 000009
【図８】
2011518701.tif 000010
【図９Ａ】
2011518701.tif 000011
【図９Ｂ】
2011518701.tif 000012
【図１０】
2011518701.tif 000013
【国際調査報告】
2011518701.tif 000014